(57)【特許請求の範囲】
【請求項１】
被測定対象となる生体に接触される第一の電極及び第二の電極と、
直流電圧供給部と、
前記直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替える信号切替部と、
前記第一の経路と前記第二の経路とを切り替える信号切り替え動作に伴うパルス性ノイズの発生が予想されるタイミングにおいて取得した前記出力信号に基づいて、前記第一の電極または前記第二の電極の前記生体に対する接触状態を推定する接触状態推定部と、を備え、
前記接触状態推定部は、前記生体に対して前記第一の電極と前記第二の電極の両方が接触している接触状態であるか、前記第一の電極と前記第二の電極の両方又は一方が接触していない非接触状態であるかを推定するものであり、前記パルス性ノイズの発生が予想されるタイミングにおいて取得した前記出力信号が予め定められた閾値以上である場合に前記接触状態であると推定し、前記出力信号が前記閾値未満である場合に前記非接触状態であると推定する接触状態推定装置。
【請求項２】
被測定対象となる生体に接触される第一の電極及び第二の電極と、
直流電圧供給部と、
前記直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替える信号切替部と、
前記第一の経路と前記第二の経路とを切り替える信号切り替え動作に伴うパルス性ノイズの発生が予想されるタイミングにおいて取得した前記出力信号に基づいて、前記第一の電極または前記第二の電極の前記生体に対する接触状態を推定する接触状態推定部と、を備え、
前記接触状態推定部は、前記生体に対して前記第一の電極と前記第二の電極の両方が接触している接触状態であるか、前記第一の電極と前記第二の電極の両方又は一方が接触していない非接触状態であるかを推定するものであり、前記パルス性ノイズの発生が予想されるタイミングに前記信号切替部から出力される前記出力信号と、前記パルス性ノイズが発生しないと予想されるタイミングに前記信号切替部から出力される前記出力信号との差分値が、予め定められた閾値以上である場合に前記接触状態であると推定し、前記差分値が前記閾値未満である場合に前記非接触状態であると推定する接触状態推定装置。
【請求項３】
被測定対象となる生体に接触される第一の電極及び第二の電極と、
直流電圧供給部と、
前記直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替える信号切替部と、
前記第一の経路と前記第二の経路とを切り替える信号切り替え動作に伴うパルス性ノイズの発生が予想されるタイミングにおいて取得した前記出力信号に基づいて、前記第一の電極または前記第二の電極の前記生体に対する接触状態を推定する接触状態推定部と、を備え、
前記接触状態推定部は、前記生体に対して前記第一の電極と前記第二の電極の両方が接触している接触状態であるか、前記第一の電極と前記第二の電極の両方又は一方が接触していない非接触状態であるかを推定するものであり、前記信号切り替えを行う第一の信号切替タイミングと当該第一の信号切替タイミングとは異なる第二の信号切替タイミングとの間の区間である第一の区間において前記信号切替部から出力される前記出力信号の値と、前記第一の信号切替タイミングとは異なる第三の信号切替タイミング及び当該第三の信号切替タイミングとは異なる第四の信号切替タイミングとの間の区間である第二の区間において前記信号切替部から出力される前記出力信号の値との相関から、前記接触状態にあるか前記非接触状態にあるかを推定する接触状態推定装置。
【請求項４】
被測定対象となる生体に接触される第一の電極及び第二の電極と、
直流電圧供給部と、
前記直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替える信号切替部と、
前記第一の経路と前記第二の経路とを切り替える信号切り替え動作に伴うパルス性ノイズの発生が予想されるタイミングにおいて取得した前記出力信号に基づいて、前記第一の電極または前記第二の電極の前記生体に対する接触状態を推定する接触状態推定部と、を備え、
前記接触状態推定部は、前記生体に対して前記第一の電極と前記第二の電極の両方が接触している接触状態であるか、前記第一の電極と前記第二の電極の両方又は一方が接触していない非接触状態であるかを推定するものであり、前記信号切り替えを行う第一の信号切替タイミングと当該第一の信号切替タイミングとは異なる第二の信号切替タイミングとの間の区間である第一の区間において前記信号切替部から出力される前記出力信号の値と、参照信号の値との相関から、前記接触状態にあるか前記非接触状態にあるかを推定する接触状態推定装置。
【請求項５】
前記接触状態推定部は、複数の前記信号切り替えタイミングにおいて、それぞれの信号切り替え動作に伴う前記パルス性ノイズの発生が予想されるタイミングに取得した複数の前記出力信号の値の変動に基づいて、前記生体に対する前記第一の電極と前記第二の電極の両方の接触状態が安定している接触安定状態にあるか、前記生体に対する前記第一の電極または前記第二の電極の接触状態が安定していない接触不安定状態にあるかを推定する請求項１から請求項４のいずれか一項に記載の接触状態推定装置。
【請求項６】
請求項１から請求項４のいずれか一項に記載の接触状態推定装置と、
生体から生体信号を取得する生体センサと、
前記生体センサから送信された前記生体信号に基づいて生体情報を出力する生体情報出力部と、を備えた生体信号測定装置。
【請求項７】
前記接触状態推定装置は、前記生体情報出力部に対して接触状態又は非接触状態を示す推定結果を出力し、
前記生体情報出力部は、前記接触状態推定装置から入力された推定結果が接触状態を示す場合に、前記生体情報の算出を行う請求項６に記載の生体信号測定装置。
【請求項８】
前記生体情報出力部は、前記接触状態推定装置から入力された推定結果が非接触状態を示す場合には、前記生体情報の算出を行わない請求項６又は請求項７に記載の生体信号測定装置。
【請求項９】
前記接触状態推定装置における推定結果が接触状態であった場合には、前記生体センサに対して当該生体センサを動作状態とする動作命令を出力し、前記推定結果が非接触状態であった場合には、前記生体センサに対して当該生体センサを動作停止状態とする動作停止命令を出力する制御部を備える請求項６から請求項８のいずれか一項に記載の生体信号測定装置。
【請求項１０】
請求項５に記載の接触状態推定装置と、
生体から生体信号を取得する生体センサと、
前記生体センサから送信された前記生体信号に基づいて生体情報を出力する生体情報出力部と、を備え、
前記接触状態推定装置は、前記生体情報出力部に対して接触安定状態又は接触不安定状態を示す推定結果を出力し、
前記生体情報出力部は、前記接触状態推定装置から入力された推定結果が接触安定状態を示す場合に、前記生体情報の算出を行う生体信号測定装置。
【請求項１１】
前記生体情報出力部は、前記接触状態推定装置から入力された推定結果が接触不安定状態を示す場合に、前記生体情報の算出を行わない
請求項１０に記載の生体信号測定装置。
【請求項１２】
前記接触状態推定装置における推定結果が接触状態または接触安定状態であった場合には、前記生体センサに対して当該生体センサを動作状態とする動作命令を出力し、前記推定結果が接触不安定状態であった場合には、前記生体センサに対して当該生体センサを動作停止状態とする動作停止命令を出力する制御部を備える請求項１０又は請求項１１に記載の生体信号測定装置。
【請求項１３】
加速度を検知する加速度センサから加速度信号を取得する加速度信号取得部を備え、
前記制御部は、前記推定結果が非接触状態となってから予め定められた時間が経過した場合には、前記接触状態推定装置に対して当該接触状態推定装置を動作停止状態又は測定頻度低下状態とする制御信号を出力し、前記加速度信号取得部が取得した前記加速度信号が予め定められた閾値以上である場合に、前記接触状態推定装置に対して当該接触状態推定装置を動作状態とするか又は測定頻度定常状態とする制御信号を出力する請求項９又は請求項１２に記載の生体信号測定装置。
【請求項１４】
前記生体センサは、脈波センサ、心電センサ並びに前記接触状態推定装置の前記第一の電極及び前記第二の電極の少なくとも一つであり、
前記生体情報出力部は、前記脈波センサで取得された脈波信号に基づいて前記生体の生体情報である脈拍情報を算出する脈拍情報算出部、前記心電センサで取得された心電信号に基づいて前記生体の生体情報である心電情報を算出する心電情報算出部、並びに前記第一の電極及び前記第二の電極から出力される出力信号の値に基づいて前記生体の生体情報である皮膚導電率を算出する皮膚導電率算出部の少なくとも一つを有する請求項６から請求項１３のいずれか一項に記載の生体信号測定装置。
【請求項１５】
前記生体信号に対応する前記生体の生体情報を表示する表示部を備える請求項６から請求項１４のいずれか一項に記載の生体信号測定装置。
【請求項１６】
被測定対象となる生体に接触される第一の電極及び第二の電極に対し、直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替え、
前記第一の経路と前記第二の経路とを切り替える信号切り替え動作に伴うパルス性ノイズの発生が予想されるタイミングにおいて前記出力信号を取得し、
前記パルス性ノイズの発生が予想されるタイミングにおいて取得した前記出力信号が予め定められた閾値以上である場合には前記生体に対して前記第一の電極と前記第二の電極の両方が接触している接触状態であると推定し、
前記出力信号が前記閾値未満である場合には前記第一の電極と前記第二の電極の両方又は一方が接触していない非接触状態であると推定する接触状態推定方法。
【請求項１７】
被測定対象となる生体に接触される第一の電極及び第二の電極に対し、直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替え、
前記第一の経路と前記第二の経路とを切り替える信号切り替え動作に伴うパルス性ノイズの発生が予想されるタイミングにおいて前記出力信号を取得すると共に、前記パルス性ノイズが発生しないと予想されるタイミングにおいて前記出力信号を取得し、
前記パルス性ノイズの発生が予想されるタイミングにおいて取得した前記出力信号と、前記パルス性ノイズが発生しないと予想されるタイミングにおいて取得した前記出力信号との差分値が、予め定められた閾値以上である場合には、前記生体に対して前記第一の電極と前記第二の電極の両方が接触している接触状態であると推定し、
前記差分値が前記閾値未満である場合には、前記第一の電極と前記第二の電極の両方又は一方が接触していない非接触状態であると推定する接触状態推定方法。
【請求項１８】
被測定対象となる生体に接触される第一の電極及び第二の電極に対し、直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替え、
前記信号切り替えを行う第一の信号切替タイミングと当該第一の信号切替タイミングとは異なる第二の信号切替タイミングとの間の区間である第一の区間において取得した前記出力信号の値と、前記第一の信号切替タイミングとは異なる第三の信号切替タイミング及び当該第三の信号切替タイミングとは異なる第四の信号切替タイミングとの間の区間である第二の区間に取得した前記出力信号の値との相関から、前記生体に対して前記第一の電極と第二の電極の両方が接触している接触状態であるか、前記第一の電極と前記第二の電極の両方又は一方が接触していない非接触状態であるかを推定する接触状態推定方法。
【請求項１９】
被測定対象となる生体に接触される第一の電極及び第二の電極に対し、直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替え、
前記信号切り替えを行う第一の信号切替タイミングと当該第一の信号切替タイミングとは異なる第二の信号切替タイミングとの間の区間である第一の区間に取得した前記出力信号の値と、参照信号の値との相関から、前記生体に対して前記第一の電極と前記第二の電極の両方が接触している接触状態であるか、前記第一の電極と前記第二の電極の両方又は一方が接触していない非接触状態であるかを推定する接触状態推定方法。
【請求項２０】
コンピュータに、請求項１６から請求項１９のいずれか一項に記載の接触状態推定方法を実行させる接触状態推定プログラム。
【請求項２１】
請求項２０に記載の接触状態推定プログラムを記憶した媒体。
【発明の詳細な説明】
【技術分野】
【０００１】
本発明は接触状態推定装置及び生体信号測定装置に関する。
【背景技術】
【０００２】
従来、人体に装着し、生体信号を計測する装置が知られている。例えば、腕時計様の形状で手首に装着し、この装着者の脈拍を計測し、活動量としての情報を得る装置が提案されている。腕時計様の装置として例えば、オムロン社製のＨＲ−５００Ｕや、セイコーエプソン社製のＰＳ−５００Ｂ等が国内で販売されている。
これらの脈拍測定を行う装置（以下、脈拍測定装置ともいう。）は、緑色又は赤色光を人体皮膚に照射し、その反射光を受光素子で受光する構成となっている。これらの脈拍測定装置は、人体に照射された照射光の一部が動脈血の酸化ヘモグロビンにより吸収されるという性質を利用し、心拍に略同期して起こる動脈血管の拍動を、反射光量の変化として検出するという原理を用いているものが多い。このような脈拍測定装置は、装置が人体に装着されていない場合は、照射光の人体からの反射が無い代わりに外光を受光し、外光が蛍光灯である場合は、その原理的に発生する点滅動作による照射光変動を検知し、脈拍変動と誤検出してしまう可能性がある。また、外光の点滅がなくとも、受光素子や後段の電子回路の雑音を増幅して検出してしまうために、脈拍変動と誤検出してしまう可能性がある。【０００３】
一方、同様に腕時計様の形状で手首に装着し、筐体に備わる、皮膚に接触した２つの電極間のインピーダンスや導電率を計測する装置が知られている。このような装置では、多くの場合、電極と皮膚とが接触状態にあるか、非接触状態にあるかの推定を行う機能が必要とされる。
例えば特許文献１及び特許文献２には、電極が人体に接着されると導子間の抵抗が下がることから、導子間に電流を流して電圧降下を検出し、これに基づき電極と人体とが接触状態にあるか非接触状態にあるかを推定する方法が開示されている。
また、このように直流電圧を印加することにより、皮膚コンダクタンスを測定するようにした測定装置として、２つの電極に電圧を印加する経路を切り替えることにより、分極による影響を抑制した皮膚コンダクタンスの測定信号を得るようにした測定装置等も提案されている（例えば、特許文献３参照。）。
【先行技術文献】
【特許文献】
【０００４】
【特許文献１】特開２０１５‐１５０１８２号公報
【特許文献２】国際公開第２０１５／０５６４３４号公報
【特許文献３】特開２０１４-２３７１１号公報
【発明の概要】
【発明が解決しようとする課題】
【０００５】
しかしながら、人体の皮膚導電率は人により大きく差異があり、もともと肌が乾燥しているとか、冬の期間である等の場合には、電極が人体に接触しているにも関わらず皮膚導電率の値が小さく計測されてしまい、接触していないと誤って推定されてしまう可能性がある。
さらに、皮膚導電率の計測値は、構成する電極の大きさによって変動するため、電極の大きさを変更するたびに、接触状態にあるか非接触状態にあるかの判断に最適な閾値が異なるという問題がある。
また、生体と接触して生体信号を測定する生体信号測定器は、生体の動きに応じて接触状態が不安定になり、生体と生体信号測定器との接触状態が変化することがある。このように接触状態が変化すると、出力信号にノイズとして現れ生体信号との区別ができない場合がある。【０００６】
本発明は、このような問題に鑑みてなされたものであり、人体に装着して生体信号を計測する計測装置において、皮膚の乾燥状態や電極の大きさ等の接触環境によらずに、電極が接触状態にあるか非接触状態にあるかを精度よく判別することの可能な接触状態推定装置及び生体信号測定装置を提供することを目的としている。
【課題を解決するための手段】
【０００７】
上記目的を達成するために、本発明の一態様に係る接触状態推定装置は、被測定対象となる生体に接触される第一の電極及び第二の電極と、直流電圧供給部と、前記直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替える信号切替部と、前記第一の経路と前記第二の経路とを切り替える信号切り替え動作に伴うパルス性ノイズの発生が予想されるタイミングにおいて取得した前記出力信号に基づいて、前記第一の電極または前記第二の電極の前記生体に対する接触状態を推定する接触状態推定部と、を備え、前記接触状態推定部は、前記生体に対して前記第一の電極と前記第二の電極の両方が接触している接触状態であるか、前記第一の電極と前記第二の電極の両方又は一方が接触していない非接触状態であるかを推定するものであり、前記パルス性ノイズの発生が予想されるタイミングにおいて取得した前記出力信号が予め定められた閾値以上である場合に前記接触状態であると推定し、前記出力信号が前記閾値未満である場合に前記非接触状態であると推定することを特徴としている。
本発明の他の態様に係る接触状態推定装置は、被測定対象となる生体に接触される第一の電極及び第二の電極と、直流電圧供給部と、前記直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替える信号切替部と、前記第一の経路と前記第二の経路とを切り替える信号切り替え動作に伴うパルス性ノイズの発生が予想されるタイミングにおいて取得した前記出力信号に基づいて、前記第一の電極または前記第二の電極の前記生体に対する接触状態を推定する接触状態推定部と、を備え、前記接触状態推定部は、前記生体に対して前記第一の電極と前記第二の電極の両方が接触している接触状態であるか、前記第一の電極と前記第二の電極の両方又は一方が接触していない非接触状態であるかを推定するものであり、前記パルス性ノイズの発生が予想されるタイミングに前記信号切替部から出力される前記出力信号と、前記パルス性ノイズが発生しないと予想されるタイミングに前記信号切替部から出力される前記出力信号との差分値が、予め定められた閾値以上である場合に前記接触状態であると推定し、前記差分値が前記閾値未満である場合に前記非接触状態であると推定することを特徴としている。
本発明の他の態様に係る接触状態推定装置は、被測定対象となる生体に接触される第一の電極及び第二の電極と、直流電圧供給部と、前記直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替える信号切替部と、前記第一の経路と前記第二の経路とを切り替える信号切り替え動作に伴うパルス性ノイズの発生が予想されるタイミングにおいて取得した前記出力信号に基づいて、前記第一の電極または前記第二の電極の前記生体に対する接触状態を推定する接触状態推定部と、を備え、前記接触状態推定部は、前記生体に対して前記第一の電極と前記第二の電極の両方が接触している接触状態であるか、前記第一の電極と前記第二の電極の両方又は一方が接触していない非接触状態であるかを推定するものであり、前記信号切り替えを行う第一の信号切替タイミングと当該第一の信号切替タイミングとは異なる第二の信号切替タイミングとの間の区間である第一の区間において前記信号切替部から出力される前記出力信号の値と、前記第一の信号切替タイミングとは異なる第三の信号切替タイミング及び当該第三の信号切替タイミングとは異なる第四の信号切替タイミングとの間の区間である第二の区間において前記信号切替部から出力される前記出力信号の値との相関から、前記接触状態にあるか前記非接触状態にあるかを推定することを特徴としている。
本発明の他の態様に係る接触状態推定装置は、被測定対象となる生体に接触される第一の電極及び第二の電極と、直流電圧供給部と、前記直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替える信号切替部と、前記第一の経路と前記第二の経路とを切り替える信号切り替え動作に伴うパルス性ノイズの発生が予想されるタイミングにおいて取得した前記出力信号に基づいて、前記第一の電極または前記第二の電極の前記生体に対する接触状態を推定する接触状態推定部と、を備え、前記接触状態推定部は、前記生体に対して前記第一の電極と前記第二の電極の両方が接触している接触状態であるか、前記第一の電極と前記第二の電極の両方又は一方が接触していない非接触状態であるかを推定するものであり、前記信号切り替えを行う第一の信号切替タイミングと当該第一の信号切替タイミングとは異なる第二の信号切替タイミングとの間の区間である第一の区間において前記信号切替部から出力される前記出力信号の値と、参照信号の値との相関から、前記接触状態にあるか前記非接触状態にあるかを推定することを特徴としている。
本発明の他の態様に係る生体信号測定装置は、本発明の一態様に係る接触状態推定装置と、生体から生体信号を取得する生体センサと、前記生体センサから送信された前記生体信号に基づいて生体情報を出力する生体情報出力部と、を備えたことを特徴としている。
【０００８】
本発明の他の態様に係る接触状態推定方法は、被測定対象となる生体に接触される第一の電極及び第二の電極に対し、直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替え、前記第一の経路と前記第二の経路とを切り替える信号切り替え動作に伴うパルス性ノイズの発生が予想されるタイミングにおいて前記出力信号を取得し、前記パルス性ノイズの発生が予想されるタイミングにおいて取得した前記出力信号が予め定められた閾値以上である場合には前記生体に対して前記第一の電極と前記第二の電極の両方が接触している接触状態であると推定し、前記出力信号が前記閾値未満である場合には前記第一の電極と前記第二の電極の両方又は一方が接触していない非接触状態であると推定することを特徴としている。
本発明の他の態様に係る接触状態推定方法は、被測定対象となる生体に接触される第一の電極及び第二の電極に対し、直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替え、前記第一の経路と前記第二の経路とを切り替える信号切り替え動作に伴うパルス性ノイズの発生が予想されるタイミングにおいて前記出力信号を取得すると共に、前記パルス性ノイズが発生しないと予想されるタイミングにおいて前記出力信号を取得し、前記パルス性ノイズの発生が予想されるタイミングにおいて取得した前記出力信号と、前記パルス性ノイズが発生しないと予想されるタイミングにおいて取得した前記出力信号との差分値が、予め定められた閾値以上である場合には、前記生体に対して前記第一の電極と前記第二の電極の両方が接触している接触状態であると推定し、前記差分値が前記閾値未満である場合には、前記第一の電極と前記第二の電極の両方又は一方が接触していない非接触状態であると推定することを特徴としている。
本発明の他の態様に係る接触状態推定方法は、被測定対象となる生体に接触される第一の電極及び第二の電極に対し、直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替え、前記信号切り替えを行う第一の信号切替タイミングと当該第一の信号切替タイミングとは異なる第二の信号切替タイミングとの間の区間である第一の区間において取得した前記出力信号の値と、前記第一の信号切替タイミングとは異なる第三の信号切替タイミング及び当該第三の信号切替タイミングとは異なる第四の信号切替タイミングとの間の区間である第二の区間に取得した前記出力信号の値との相関から、前記生体に対して前記第一の電極と第二の電極の両方が接触している接触状態であるか、前記第一の電極と前記第二の電極の両方又は一方が接触していない非接触状態であるかを推定することを特徴としている。
本発明の他の態様に係る接触状態推定方法は、被測定対象となる生体に接触される第一の電極及び第二の電極に対し、直流電圧供給部が前記第一の電極に直流電圧を供給し、前記第二の電極からの出力信号を出力する第一の経路と、前記直流電圧供給部が前記第二の電極に直流電圧を供給し、前記第一の電極からの出力信号を出力する第二の経路とを切り替え、前記信号切り替えを行う第一の信号切替タイミングと当該第一の信号切替タイミングとは異なる第二の信号切替タイミングとの間の区間である第一の区間に取得した前記出力信号の値と、参照信号の値との相関から、前記生体に対して前記第一の電極と前記第二の電極の両方が接触している接触状態であるか、前記第一の電極と前記第二の電極の両方又は一方が接触していない非接触状態であるかを推定することを特徴としている。
本発明の他の態様に係る接触状態推定プログラムは、本発明の一態様に係る接触状態推定方法を実行させることを特徴としている。
本発明の他の態様に係る媒体は、本発明の一態様に係る接触状態推定プログラムを記憶したことを特徴としている。
【発明の効果】
【０００９】
本発明の一態様によれば、センサと生体との接触状態と非接触状態の判別を皮膚の乾燥状態や電極の大きさ等の接触環境によらずに精度良く推定することができる。
【図面の簡単な説明】
【００１０】
【図１】本発明の第一実施形態に係る接触状態推定装置の一例を示すブロック図である。
【図２】信号切替部及び増幅器の一例を示す回路図である。
【図３】信号切替部の動作説明に供する説明図である。
【図４】信号切替部の動作説明に供する説明図である。
【図５】信号切替に伴う増幅器出力の一例を示す波形図である。
【図６】生体の皮膚の等価回路の一例である。
【図７】信号切替に伴う増幅器出力の波形を模した図である。
【図８】接触状態の推定方法を説明するための説明図である。
【図９】接触状態の推定方法を説明するための説明図である。
【図１０】接触状態の推定方法を説明するための説明図である。
【図１１】接触状態の推定方法を説明するための説明図である。
【図１２】接触状態の推定方法を説明するための説明図である。
【図１３】接触状態の推定方法を説明するための説明図である。
【図１４】接触安定性の推定方法を説明するための説明図である。
【図１５】本発明の第三実施形態に係る生体信号測定装置の一例を示すブロック図である。
【図１６】生体信号測定装置の一例を示す模式図である。
【図１７】接触状態推定方法の一例を説明するフローチャートである。
【図１８】接触状態推定方法の一例を説明するフローチャートである。
【図１９】生体信号測定装置のその他の例を示すブロック図である。
【図２０】生体信号測定装置の動作例を説明するフローチャートである。
【図２１】生体信号測定装置のその他の例を示すブロック図である。
【図２２】生体信号測定装置の動作例を説明するフローチャートである。
【図２３】生体信号測定装置を搭載した心電計の一例を示す模式図である。
【発明を実施するための形態】
【００１１】
以下の詳細な説明では、本発明の実施形態の完全な理解を提供するように多くの特定の具体的な構成について記載されている。しかしながら、このような特定の具体的な構成に限定されることなく他の実施態様が実施できることは明らかである。また、以下の実施形態は、特許請求の範囲に係る発明を限定するものではなく、実施形態で説明されている特徴的な構成の組み合わせの全てを含むものである。
以下、図面を参照して、本発明の一実施形態を説明する。以下の図面の記載において、同一部分には同一符号を付している。ただし、図面は模式的なものであり、厚みと平面寸法との関係、各層の厚みの比率等は現実のものとは異なる。
【００１２】
〈第一実施形態〉
まず、本発明の第一実施形態に係る接触状態推定装置の一例を説明する。
図１は、本発明に係る接触状態推定装置１の一例を示すブロック図である。
接触状態推定装置１は、直流電圧源等の直流電圧供給部２、信号切替部３、増幅器４、Ａ／Ｄ変換器５、制御部６、データ蓄積部７、接触状態推定部８、及び出力部９を備え、さらに、人体等の生体に接触される一対の電極１０ａ及び１０ｂを備えている。接触状態推定装置１は、電極１０ａ及び１０ｂが生体と接触しているかどうかを推定し推定結果を出力する。
【００１３】
直流電圧供給部２は、信号切替部３に直流電圧を印加する。
信号切替部３は、電極１０ａ及び１０ｂの接続先を、直流電圧供給部２と増幅器４との間で切り替える。すなわち、電極１０ａと直流電圧供給部２とを導通させ、電極１０ｂと増幅器４の入力部とを導通させる第一の経路と、電極１０ｂと直流電圧供給部２とを導通させ、電極１０ａと増幅器４の入力部とを導通させる第二の経路とを形成する。信号切替部３は、制御部６からの切替信号により、第一の経路と第二の経路とを任意のタイミングで切り替える。
増幅器４は、信号切替部３の出力信号が入力され、入力された信号を増幅し出力する。
【００１４】
Ａ／Ｄ変換器５は、増幅器４の出力信号（以後、増幅器出力ともいう。）を入力すると共に、Ａ／Ｄ変換の実行を指示するタイミング信号を制御部６から入力し、例えばタイミング信号が入力されるタイミングで増幅器出力に対してＡ／Ｄ変換を行う。Ａ／Ｄ変換器５で変換された増幅器出力のＡ／Ｄ変換値はデータ蓄積部７に蓄積される。
制御部６は、信号切替部３に第一の経路と第二の経路とを切り替えるための切替信号を出力すると共に、この切替信号を出力した時刻を、切替時刻情報としてデータ蓄積部７に出力する。また、制御部６は、予め設定した定周期等といった所定のタイミングでＡ／Ｄ変換器５にＡ／Ｄ変換の実行を指示するタイミング信号を出力すると共に、このタイミング信号を出力した時刻をＡ／Ｄ変換時刻情報としてデータ蓄積部７に出力する。
【００１５】
データ蓄積部７は、Ａ／Ｄ変換器５から出力されるＡ／Ｄ変換された増幅器出力、制御部６からの切替時刻情報、及び制御部６からのＡ／Ｄ変換時刻情報が入力され、これらを順次蓄積する。このとき、データ蓄積部７は、Ａ／Ｄ変換時刻情報と、このＡ／Ｄ変換時刻情報が出力されたタイミングでＡ／Ｄ変換器５によりＡ／Ｄ変換された増幅器出力とを対応付けて蓄積する。
なお、ここでは、Ａ／Ｄ変換時刻情報としてタイミング信号を出力した時刻を用いているが、Ａ／Ｄ変換時刻情報は、Ａ／Ｄ変換を行うタイミングであることを時系列で表す情報であればよい。例えばタイミング信号が制御部６から定周期で出力される場合には、Ａ／Ｄ変換時刻情報は通し番号であってもよい。また、切替時刻情報として切替信号を出力した時刻を用いているが、切替時刻情報は、Ａ／Ｄ変換のタイミングと切替信号の出力タイミングとを時系列的に表すことができる情報であればよい。
【００１６】
接触状態推定部８は、データ蓄積部７に蓄積された蓄積データを読み出し、読み出した蓄積データに基づき、電極１０ａ、１０ｂと生体とが接触状態にあるか非接触状態にあるかを推定し、推定結果を出力する。
出力部９は、接触状態推定部８から推定結果が入力され、入力された推定結果を外部に出力する。なお、ここでは、出力部９は推定結果を外部に出力する機能を有する場合について説明するがこれに限るものではない。接触状態推定装置１において、出力部９として、表示機能を有する出力部を用いること、或いは、出力部９の出力をもとに表示を行う表示部をさらに設けること等により、推定結果等の情報を外部に出力せずに、接触状態推定装置１内において、接触状態の推定結果等の情報を表示するようにしてもよい。さらに、接触状態の推定結果等の情報を接触状態推定装置１内において表示すると共に、外部に出力するようにしてもよい。
【００１７】
図２は、図１における信号切替部３及び増幅器４の回路構成の一例を示したものである。
信号切替部３は、四つのスイッチＳＷ１〜ＳＷ４を含み、これらスイッチＳＷ１〜ＳＷ４は、制御部６からの切替信号Φ１、Φ２に応じて動作する。電極１０ａと直流電圧供給部２との間にスイッチＳＷ１が接続され、電極１０ａと増幅器４の反転入力部との間にスイッチＳＷ２が接続される。電極１０ｂと直流電圧供給部２との間にスイッチＳＷ３が接続され、電極１０ｂと増幅器４の反転入力部との間にスイッチＳＷ４が接続される。制御部６は、測定フェーズ１における第一の経路を形成するための切替信号Φ１をスイッチＳＷ１及びＳＷ４に出力する。また、制御部６は、測定フェーズ２における第二の経路を形成するための切替信号Φ２をスイッチＳＷ２及びＳＷ３に出力する。制御部６が、例えばＨＩＧＨレベルのときにスイッチを導通させる切替信号Φ１、Φ２を、図３（ａ）に示すように、交互にＨＩＧＨレベルとなるように出力することによって、信号切替部３は、第一の経路を形成する測定フェーズ１と第二の経路を形成する測定フェーズ２とに交互に切り替わる。
【００１８】
つまり、電極１０ａ及び１０ｂを人体に接触させた状態で、切替信号Φ１がＨＩＧＨレベル、切替信号Φ２がＬＯＷレベルのとき、図３（ｂ）に示すように、スイッチＳＷ１、ＳＷ４が導通状態、スイッチＳＷ２、ＳＷ３が開放状態となる。そのため、直流電圧供給部２、スイッチＳＷ１、電極１０ａ、電極１０ｂ、スイッチＳＷ４、増幅器４がこの順に接続された第一の経路が形成される。切替信号Φ１がＬＯＷレベル、切替信号Φ２がＨＩＧＨレベルのとき、図３（ｃ）に示すように、スイッチＳＷ２、ＳＷ３が導通状態、スイッチＳＷ１、ＳＷ４が開放状態となる。そのため、直流電圧供給部２、スイッチＳＷ３、電極１０ｂ、電極１０ａ、スイッチＳＷ２、増幅器４がこの順に接続された第二の経路が形成される。なお、電極１０ａ及び１０ｂ間のＺは、主に汗腺活動に伴って変化する可変インピーダンスを表す。
【００１９】
図２に戻って、増幅器４は、例えばオペアンプＡＭＰとオペアンプＡＭＰの反転入力端子に一端が接続される抵抗Ｒ１と、オペアンプＡＭＰの出力端子と反転入力端子との間に接続される抵抗Ｒ２とを備えた差動増幅回路で構成される。抵抗Ｒ１の他端は、スイッチＳＷ２の一端及びＳＷ４の一端に接続される。
図４（ａ）、図４（ｂ）は、生体の皮膚の等価回路の一例である。図４（ａ）は第一の経路を形成する測定フェーズ１のときの回路を示す図であり、図４（ｂ）は第二の経路を形成する測定フェーズ２のときの回路を示す図である。図中符号１１は被測定対象であり例えば人体の皮膚等である。また、図中符号Ｒｂは被測定対象１１のコンダクタンス（図３の可変インピーダンスＺに相当）である。
【００２０】
図５は、図４に示すような測定セットアップを用いて、信号切替部３においてスイッチＳＷ１〜ＳＷ４を切り替えた際の、増幅器出力の波形を示している。図５において横軸は時間である。また、図５（ａ）は増幅器４の出力端の電圧すなわち増幅器出力を表し、図５（ｂ）は測定フェーズを表す。また、時点ｔ１より前の期間は、電極１０ａ、１０ｂが被測定対象１１に接触していないときの波形を表し、時点ｔ１以後は電極１０ａ、１０ｂが被測定対象１１に接触しているときの波形を表す。
被測定対象１１と電極１０ａ、１０ｂとが接触している場合、信号切替部３により第一の経路と第二の経路を切り替えたとき、増幅器出力は急激に増加し、その後徐々に減少する。これは、被測定対象１１と電極１０ａ、１０ｂとの間の容量成分に起因するものである。
【００２１】
図６は、図４に示す測定系において、電極１０ａ、１０ｂに接触している被測定対象１１つまり生体の皮膚を、等価回路に置き換えたものである。図６中、Ｒ１は皮膚の真皮、Ｒ２は表皮、Ｚは可変インピーダンスを表している。また、Ｒｃ１、Ｒｃ２は、それぞれ電極と皮膚との接触抵抗を表す。
仮に、スイッチＳＷ２、ＳＷ３を閉じ、スイッチＳＷ１、ＳＷ４を開放した第二の経路が形成されている状態であり、電極１０ａにＶｉｎ、電極１０ｂにＶｅｘの電圧がかかっているとする（Ｖｅｘ＞Ｖｉｎ）。電極１０ｂから電極１０ａには、ｉ＝（Ｖｅｘ−Ｖｉｎ）／（Ｒ１＋（（Ｒ×Ｒ２）／（Ｒ＋Ｒ２）））の電流が流れている。また、容量ＣにはＱ＝Ｃ（Ｖｅｘ−Ｖｉｎ）の電荷が蓄えられている。この状態から信号切替部３を切り替えて、スイッチＳＷ１、ＳＷ４を閉じ、ＳＷ２、ＳＷ３を開放し、第一の経路に切り替えて、皮膚に印加される電圧が逆転したときを考える。すると、電極１０ａから電極１０ｂに、容量Ｃに充電されていた電荷Ｑの放電による電流ｉｑが流出し、その後次第に放電による電流値は収束する。その結果、図５に示すようなパルス性ノイズが生じる。
【００２２】
このパルス性ノイズは、図７に示すように、信号切替え直後に急峻に上昇し、その後一定時間をかけて一定の電圧に収束するという性質を持つ。
本発明の第一実施形態に係る接触状態推定装置１では、このパルス性ノイズが生体に接触した際に生じ、接触していなければ生じないという特性を利用し、図７に示すように、パルス性ノイズの影響が十分に見られる期間τ１の増幅器出力を用いて、接触状態にあるか非接触状態にあるかの推定を行う。
図８に示すように、信号切替を行ったとしても、パルス性ノイズは、非接触状態では生じない。また、一対の電極１０ａ及び１０ｂの両方が接触状態であっても、パルス性ノイズは、信号切替部３における信号切替の直後で大きな値を得ることができるが、信号切替を行った後十分時間が経過した後では小さくなる。そのため、パルス性ノイズの影響が十分に見られる期間τ１、つまり、切替タイミングｔから所定時間が経過するまでの期間τ１の間における増幅器出力を、パルス性ノイズの発生が予想されるタイミングにおける増幅器出力とし、この期間τ１内の任意のタイミングにおける増幅器出力を用いて接触状態を推定する。
【００２３】
接触状態の推定は図１中の接触状態推定部８が行う。接触状態推定部８は、具体的には、図８に示すように、期間τ１に含まれる増幅器出力を取得し、この増幅器出力が一定の閾値以上であれば接触状態であると推定する。また、増幅器出力が閾値よりも小さければ非装着状態であると推定する。
期間τ１は例えば０．1秒以内の値に設定され、好ましくは０．０５秒以内の値に設定され、さらに好ましくは０．０1秒以内の値に設定される。
図８（ａ）〜図８（ｃ）において、横軸は時間ｔ、図８（ａ）は増幅器出力、図８（ｂ）は測定フェーズ、図８（ｃ）はＡ／Ｄ変換後の増幅器出力の取得タイミングを表す。
【００２４】
制御部６では、測定フェーズ１と測定フェーズ２との切り替わりタイミングで切替信号を信号切替部３に出力すると共に、切替信号の出力タイミングで切替時刻情報をデータ蓄積部７に蓄積する。Ａ／Ｄ変換器５でデジタル値に変換された増幅器出力はデータ蓄積部７に順次蓄積され、Ａ／Ｄ変換時刻情報と対応付けて蓄積される。
接触状態推定部８では、データ蓄積部７に蓄積された測定データつまり増幅器出力のＡ／Ｄ変換値を順次読み出し、切替時刻情報に基づき測定フェーズの切り替わりタイミングを特定する。そして、接触状態推定部８では、この測定フェーズの切り替わりタイミングｔから予め設定した所定時間が経過するまでの期間における増幅器出力のＡ／Ｄ変換値をＡ／Ｄ変換時刻情報に基づき抽出する。
なお、Ａ／Ｄ変換値を抽出する期間を決定する「所定時間」は、パルス性ノイズの影響が充分に見られる期間として予め検出した期間τ１以内の値に設定される。
【００２５】
接触状態推定部８では、抽出した増幅器出力のＡ／Ｄ変換値と、予め設定した閾値とを比較し、増幅器出力のＡ／Ｄ変換値が閾値以上であるとき接触状態と判断し、閾値よりも小さいとき非接触状態と判断する。接触状態推定部８では、測定フェーズの切り替わりタイミング毎に、接触状態／非接触状態の判断を行い、測定データ（つまり増幅器出力のＡ／Ｄ変換値）と対応付けて、判断結果を、出力部９を介して外部に出力する。
この出力部９から出力される判断結果と測定データとを参照することによって、ユーザは、データ蓄積部７に蓄積した測定データについて、電極１０ａ、１０ｂが接触状態にあるときの測定データであるか否かを判断する。ユーザは、例えば、収集した測定データの解析を行う際に、接触状態の判断結果及びＡ／Ｄ変換時刻情報と、測定データとを照らし合わせ、測定データのうち、接触状態の判断結果が接触状態にあると判断された期間の測定データのみを利用して解析等を行う。
これによって、非接触状態における測定データに基づき解析を行うことを回避することができる。
【００２６】
このように、本発明の第一実施形態における接触状態推定装置１では、信号切替えで生じるパルス性ノイズの影響が充分におさまった期間のデータは用いずに、パルス性ノイズの影響が大きく見られる期間のデータを用いて、電極１０ａ、１０ｂが被測定対象１１に対して接触状態にあるか否かを判定するようにしている。
そのため、接触状態にあるか否かを高精度に判断することができる。また、測定フェーズの切替タイミングに生じるパルス性ノイズは、測定フェーズの切替に伴い生じるものであり、被測定対象１１、例えば人体の皮膚の状態や電極１０ａ、１０ｂの大きさ等による影響を受けにくい。そのため、被測定対象１１と電極１０ａ、１０ｂとの接触状態の変化等に関わらず、接触状態をより精度よく判別することができる。
なお、接触状態推定部８での接触状態の推定は、期間τ１中の任意の時刻における出力信号の値の一つに基づいて判断する場合に限るものではなく、複数の時刻における、増幅器４の複数の出力信号の値から接触状態を推定するようにしてもよい。
【００２７】
複数の時刻における増幅器出力から接触状態を推定する場合の一例を図９に示す。図９において横軸は時間、図９（ａ）は増幅器出力、図９（ｂ）は測定フェーズ、図９（ｃ）はＡ／Ｄ変換後の増幅器４の出力信号の取得タイミングを表す。
図９に示す例では、測定フェーズ切替タイミングの前及び後における増幅器出力を抽出し、これらの差分を用いる。
図９に示すように、接触状態にある場合の、測定フェーズの切替タイミングｔ（ｎ）よりも前の時点、つまり、一つ前の切替タイミングからパルス性ノイズが大きい期間τ１が経過した時点以後、測定フェーズを切り替える時点ｔ（ｎ）までの間の任意の時点をｔ（ｎ−１）とし、切替タイミングｔ（ｎ）から期間τ１が経過するまでの間の任意の時点をｔ（ｎ＋１）とすると、時点ｔ（ｎ＋１）ではパルス性ノイズが発生するため、時点ｔ（ｎ＋１）における増幅器出力は、時点ｔ（ｎ−１）における増幅器出力よりも大きい。
【００２８】
したがって、時点ｔ（ｎ−１）における増幅器出力のＡ／Ｄ変換値と時点ｔ（ｎ＋１）における増幅器出力のＡ／Ｄ変換値との差が同等程度であれば非接触状態であるとみなすことができる。一方、時点ｔ（ｎ−１）における増幅器出力のＡ／Ｄ変換値よりも時点ｔ（ｎ＋１）における増幅器出力のＡ／Ｄ変換値の方が大きく、これらの差が閾値以上である場合には、接触状態であるとみなすことができる。
この場合、制御部６では、測定フェーズを予め設定したタイミングで切り替えると共に、測定フェーズの切替タイミングｔ（ｎ）よりも予め設定した所定時間前の時点ｔ（ｎ−１）及び切替タイミングｔ（ｎ）よりも予め設定した所定時間後の時点ｔ（ｎ＋１）に、Ａ／Ｄ変換器５に対してタイミング信号を出力すると共に、Ａ／Ｄ変換時刻情報を出力し、時点ｔ（ｎ−１）及び時点ｔ（ｎ＋１）における増幅器出力のＡ／Ｄ変換値とＡ／Ｄ変換時刻情報とを対応付けてデータ蓄積部７に蓄積する。この処理を切替タイミングｔ（ｎ）毎に行い、所定時間分の測定データを蓄積する。
【００２９】
接触状態推定部８では、データ蓄積部７に蓄積された測定データを読み出し、Ａ／Ｄ変換時刻情報をもとに、測定フェーズの切替タイミングｔ（ｎ）よりも予め設定した所定時間だけ前の時点ｔ（ｎ−１）における増幅器出力と、切替タイミングｔ（ｎ）よりも予め設定した所定時間後の時点ｔ（ｎ＋１）における増幅器出力とを抽出し、これらの差を求める。時点ｔ（ｎ）と時点ｔ（ｎ−１）との間の所定時間は、切替タイミングｔ（ｎ）の一つ前の測定フェーズの切替に伴い生じるパルス性ノイズが充分低減された増幅器出力を得ることのできる値に設定される。また、時点ｔ（ｎ）と時点ｔ（ｎ＋１）との間の所定時間は、切替タイミングｔ（ｎ）での測定フェーズの切替に伴い生じるパルス性ノイズが充分大きいときの増幅器出力を得ることのできる値に設定される。
【００３０】
接触状態推定部８では、切替タイミングｔ（ｎ）毎に、切替タイミングｔ（ｎ）よりも所定時間だけ前の時点ｔ（ｎ−１）における増幅器出力と、切替タイミングｔ（ｎ）よりも所定時間だけ後の時点ｔ（ｎ＋１）における増幅器出力とを抽出し、これら増幅器出力の差分をとる。そして、差分が予め設定した閾値θ以下であるときには非接触状態であると判断し、差分が閾値θよりも大きいときには接触状態であると判断する。閾値θは、増幅器出力の差分が充分大きく、パルス性ノイズが生じているとみなすことの可能な値に設定される。閾値θは例えば予め設定されてデータ蓄積部７に格納されている。
【００３１】
これにより、接触状態、非接触状態が判断される。そのため、この判断がなされたときの増幅器出力に対応付けられたＡ／Ｄ変換時刻情報から得られる、接触状態にあると判断されたときの時刻と、増幅器出力に対応付けられたＡ／Ｄ変換時刻情報とから、接触状態にあると判断された期間の増幅器出力のみを利用して解析等を行うことにより、非接触状態における誤った増幅器出力に基づき解析を行うことを回避することができる。
また、接触状態推定部８での接触状態の推定を、異なる区間における増幅器出力どうしの相関から判断するようにしてもよい。
【００３２】
つまり、図１０に示すように、電極１０ａ、１０ｂが被測定対象１１に非接触状態の場合、測定フェーズの切替タイミングｔ１１から次の切替タイミングｔ１２までの区間を区間１とし、測定フェーズの切替タイミングｔ１２から次の切替タイミングｔ１３までの区間を区間２としたとき、区間１及び区間２における増幅器出力は、例えば、図１１（ａ）に示すように、ランダムノイズ成分が支配的となる。一方、電極１０ａ、１０ｂが被測定対象１１に接触状態である場合、測定フェーズの切替タイミングｔ２１から次の切替タイミングｔ２２までの区間を区間１１、時点ｔ２２の次の測定フェーズの切替タイミングである時点ｔ２３からその次の切替タイミングである時点ｔ２４までの区間を区間１２としたとき、区間１１及び区間１２における増幅器出力は、ともにパルス性ノイズを含むためパルス性ノイズが支配的となる。
【００３３】
また、ランダムノイズが発生しないときには、増幅器出力の変動が一定の閾値以下の場合は非接触状態であると判定してもよい。
そのため、区間１における増幅器出力と区間２における増幅器出力、区間１１における増幅器出力と区間１２における増幅器出力、のそれぞれについて相関をとると、パルス性ノイズを含む接触状態における区間１１の増幅器出力と区間１２の増幅器出力との相関値の方が、パルス性ノイズを含まない非接触状態における区間１の増幅器出力と区間２の増幅器出力との相関値よりも高い。
【００３４】
したがって、異なる二つの区間における増幅器出力の相関値が閾値以上であるとき接触状態であり、相関値が閾値より小さいとき非接触状態であるとみなすことができる。なお、閾値は、相関値が充分大きく、パルス性ノイズが生じているとみなすことの可能な値に設定される。閾値θは例えば予め設定されてデータ蓄積部７に格納されている。
相関値をとる区間は、測定フェーズの切替タイミングで規定される連続する区間（例えば区間１及び区間２）であってもよく、離れた区間（例えば区間１１及び区間１２）であってもよい。また、相関値をとる区間の長さは、同一の長さであってもよく、また、異なる長さであってもよい。つまり、一つの測定フェーズと、三つの測定フェーズとにおいて、相関値をとるようにしてもよい。
【００３５】
なお、図１０において横軸は時間、図１０（ａ）は増幅器出力、図１０（ｂ）は測定フェーズである。また、図１１において、横軸は時間、縦軸は増幅器出力である。
接触状態推定部８での接触状態の推定は、パルス性ノイズを含む波形を模擬した参照波形Ｓ１をデータ蓄積部７に保存しておき、測定フェーズの切替タイミングから次の切替タイミングまでの区間における増幅器出力の波形と、参照波形Ｓ１との相関値を所定の閾値と比較することで判断してもよい。
【００３６】
つまり、図１２に示すように、電極１０ａ、１０ｂが被測定対象１１に非接触状態である場合の、測定フェーズの切替タイミングｔ３１から次の切替タイミングｔ３２までの区間を区間２１とし、接触状態である場合の、測定フェーズの切替タイミングｔ４１から時点ｔ４２までの区間を区間２２とする。参照波形Ｓとして図１３（ａ）に示す緩やかに減少する波形を用い、図１３（ｂ）に示す区間２１における増幅器出力と、図１３（ｃ）に示す区間２２における増幅器出力の波形との相関値をとると、区間２２における増幅器出力の方が相関値が高くなる。したがって、例えば、測定フェーズの切替タイミングから次の切替タイミングまでの区間における増幅器出力の波形と、参照波形Ｓとの相関値を、区間毎、または区間一つおき毎等、任意のタイミングで求め、この相関値が予め設定した閾値以上であるときに接触状態であると判断するようにしてもよい。
【００３７】
このように、接触状態の推定を、異なる区間における増幅器出力どうしの相関から判断するようにした場合も接触状態にあるか否かの判断を高精度に行うことができる。
なお、接触状態の推定を、異なる区間における増幅器出力どうしの相関から判断する場合も、上記と同様に、一つの測定フェーズにおける参照波形Ｓと、一つの測定フェーズにおける増幅器出力の波形との相関値をとるようにしてもよく、また、一つの測定フェーズにおける参照波形Ｓと、複数（例えば三つ）の測定フェーズにおける増幅器出力の波形との相関値をとるようにしてもよい。
【００３８】
〈第二実施形態〉
次に、本発明の第二実施形態を説明する。
第二実施形態は、第一実施形態における接触状態推定装置１において、さらに、増幅器出力を用いて接触安定性を推定するようにしたものである。接触安定性とは、電極１０ａ、１０ｂと被測定対象１１との接触面積の変動に基づく指標である。
例えば皮膚などの被測定対象１１に電極１０ａ、１０ｂが接触されている状態で、電極１０ａ、１０ｂが接着されている部位を動かすことにより、電極１０ａ、１０ｂと被測定対象１１との接触面積が変動すると、被測定対象１１と電極１０ａ、１０ｂとの間の接触抵抗が変動する。つまり、図６において、抵抗Ｒｃ１及びＲｃ２が変動する。被測定対象１１である皮膚が乾燥していたり、被測定対象１１と電極１０ａ、１０ｂとの接触面積の変動が微小であったりする場合には抵抗Ｒｃ１及びＲｃ２の変動が小さく、この変動を検出することが難しい場合がある。
【００３９】
しかしながら、測定フェーズの切替タイミングから期間τ１が経過するまでの期間における増幅器出力、つまり、パルス性ノイズが生じている期間における増幅器出力を用いることにより、接触面積の変動を高精度に検出することができる。以下、その理由を説明する。
被測定対象１１と電極１０ａ、１０ｂとの接触抵抗が変動すると、増幅器出力の変動が大きくなる。接触抵抗の変動に伴う増幅器出力の変動はパルス性ノイズでも生じ、特に、パルス性ノイズのピーク値の変動として顕著に現れる。
【００４０】
つまり、電極１０ａ、１０ｂが被測定対象１１としての人体に接着されている場合、図１４（ａ）に示すように、接触抵抗が変動すると増幅器出力が変動し、特にパルス性ノイズが発生している部分では増幅器出力のピーク値が顕著に変動する。これに対し、接触抵抗の変動が少ない場合には、図１４（ｂ）に示すように、測定フェーズ切替タイミング毎の増幅器出力は、測定フェーズ切替タイミング間で同様に変動し、パルス性ノイズのピークに対応する増幅器出力の変動は小さい。
そこで、パルス性ノイズのピーク値の変動を利用し、ピーク値の変動が閾値よりも大きいとき、接触抵抗が変動している、つまり接触安定性が不安定となっていると判断する。
【００４１】
ここで、図１４に示すように、連続する測定フェーズ切替タイミングをｔｐ１、ｔｐ２、…、ｔｐＮ（Ｎは正の整数）とし、各測定フェーズ切替タイミングｔpＮから一定時間ｔτが経過した時点における増幅器出力のＡ／Ｄ変換値をｓ１、ｓ２、…、ｓＮとする。一定時間ｔτは、例えば測定フェーズ切替タイミングから、増幅器出力が、パルス性ノイズのピーク値となる時点までの経過時間に設定される。
そして、測定フェーズ切替タイミング毎に、測定フェーズ切替タイミングｔｐＮから一定時間ｔτが経過した時点での増幅器出力のＡ／Ｄ変換値ｓ１、ｓ２、…、ｓＮを、パルス性ノイズのピーク値に相当する値として取得する。
【００４２】
そして、取得した測定フェーズ切替タイミング毎の増幅器出力のＡ／Ｄ変換値ｓ１〜ｓＮについて、その変動幅Ｖを検出し、予め設定した閾値を超えて変動するとき、接触安定性が不安定になっていると判断する。変動幅Ｖは、例えば、一定時間毎のＡ／Ｄ変換値ｓＮの最大値及び最小値間の差分値、或いは、一定時間毎の分散値を用いてもよい。また、Ａ／Ｄ変換値ｓＮをハイパスフィルタ処理した後の振幅値を用いて、例えば一定時間毎の変動幅Ｖを算出してもよく、変動幅Ｖを算出することができればその他の方法であっても適用することができる。
【００４３】
接触安定性の検出結果としては、変動幅Ｖを接触安定性を表す数値として出力してもよく、また、変動幅Ｖを変換して接触安定性を表す指標として出力してもよい。また、変動幅Ｖの閾値を設定し、変動幅Ｖが閾値以上であるとき不安定と判定して判定結果を出力するようにしてもよく、その形態については限られない。
なお、接触安定性の推定は接触状態推定部８で行い、出力部９にて出力するようにすればよい。
【００４４】
〈第三実施形態〉
次に、本発明の第三実施形態を説明する。
第三実施形態は、本発明の第二実施形態に係る接触状態推定装置１を、生体信号測定装置に適用したものである。図１５は、本発明に係る生体信号測定装置２０の一例を示すブロック図である。図１に示す接触状態推定装置１と同一機能を有する構成要素には同一符号を付与している。
図１５に示すように、生体信号測定装置２０は、図１に示す接触状態推定装置１、脈波信号取得部２１、脈波信号取得用の発光素子２２及び受光素子２３、心電信号取得部２４、心電信号測定用の一対の電極２５ａ、２５ｂ、及び生体情報出力部２６を備える。
【００４５】
脈波信号取得部２１は、発光素子２２を駆動する電流ドライバ３１と、受光素子２３の検出信号を増幅する増幅器３２と、増幅器３２の出力をＡ／Ｄ変換するＡ／Ｄ変換器３３とを備える。電流ドライバ３１は、接触状態推定装置１の制御部６からの駆動信号に応じて駆動され、発光素子２２に電流を供給して発光させ、被測定対象１１に光を照射させる。受光素子２３は、発光素子２２による発光光が、被測定対象１１により反射された反射光を受光し、受光量に応じた電流信号を増幅器３２に出力する。増幅器３２は、受光素子２３からの電流信号を増幅する。Ａ／Ｄ変換器３３は、制御部６からの増幅器３２の出力に対するＡ／Ｄ変換の実行を指示するタイミング信号と、増幅器３２の出力とを入力し、制御部６からタイミング信号が入力されるタイミングで増幅器３２の出力をデジタル信号に変換し、データ蓄積部７に出力する。デジタル信号に変換された増幅器３２の出力は、後述の制御部６からデータ蓄積部７に入力される、Ａ／Ｄ変換器３３に対してタイミング信号を出力した時刻を表すＡ／Ｄ変換時刻情報と対応付けられてデータ蓄積部７に蓄積される。
【００４６】
被測定対象１１としての例えば人体の脈動に伴い、発光素子２２の発光光が被測定対象１１で反射される反射光の光量は時間的に変動する。そのため、受光素子２３の受光量の変動情報から脈拍情報を得ることができる。
心電信号取得部２４は、電極２５ａ及び２５ｂに接続される増幅器４１と、増幅器４１の出力をＡ／Ｄ変換するＡ／Ｄ変換器４２とを備える。電極２５ａ、２５ｂは、心電信号を測定するための電極であり、被測定対象１１に接触して装着される。
増幅器４１は、差動アンプ、アナログフィルタ等を有しており、電極２５ａ、２５ｂから入力される信号の増幅及びノイズ除去を行い、Ａ／Ｄ変換器４２に出力する。Ａ／Ｄ変換器４２は、制御部６からの増幅器４１の出力に対するＡ／Ｄ変換の実行を指示するタイミング信号と、増幅器４１の出力とを入力し、制御部６からタイミング信号が入力されるタイミングで増幅器４１の出力をデジタル信号に変換し、データ蓄積部７に出力する。デジタル信号に変換された増幅器４１の出力は、後述の制御部６からデータ蓄積部７に入力される、Ａ／Ｄ変換器４２に対してタイミング信号を出力した時刻を表すＡ／Ｄ変換時刻情報と対応付けられてデータ蓄積部７に蓄積される。
【００４７】
ここで、Ａ／Ｄ変換器３３の出力と対応付けられるＡ／Ｄ変換時刻情報及びＡ／Ｄ変換器４２の出力と対応付けられるＡ／Ｄ変換時刻情報と、Ａ／Ｄ変換器５の出力と対応付けられるＡ／Ｄ変換時刻情報とは同一であってもよく、異なっていてもよい。つまり、Ａ／Ｄ変換器３３、Ａ／Ｄ変換器４２、及びＡ／Ｄ変換器５のそれぞれにおいてＡ／Ｄ変換するタイミングは、同一タイミングであってもよく、異なるタイミングであってもよい。
Ａ／Ｄ変換器３３、４２の出力それぞれにＡ／Ｄ変換時刻情報を対応付けることにより、接触状態にあるか否かの推定結果と、Ａ／Ｄ変換器３３の出力（つまり脈波信号）、Ａ／Ｄ変換器４２の出力（つまり心電信号）との時系列の関係を表すようになっている。
なお、接触状態推定装置１に含まれるＡ／Ｄ変換器５と、脈波信号取得部２１に含まれるＡ／Ｄ変換器３３と、心電信号取得部２４に含まれるＡ／Ｄ変換器４２のそれぞれから出力されるデータの区別は、例えば、データ蓄積部７に各Ａ／Ｄ変換器からのデータのタグ情報を保存すること等により行う。
【００４８】
生体情報出力部２６は、皮膚導電率算出部５１、脈拍情報算出部５２、心電情報算出部５３、及び自律神経状態推定部５４を備える。
皮膚導電率算出部５１は、データ蓄積部７に蓄積されたデータから皮膚導電率を算出し、出力部９を介して外部に出力する。
また、皮膚導電率算出部５１は、接触状態推定装置１の推定結果が入力され、接触状態及び接触安定状態であると判定された場合のみ皮膚導電率を算出し、結果を出力する。または、皮膚導電率算出部５１は、皮膚導電率と共に接触状態推定装置１の推定結果も出力するようにしてもよい。皮膚導電率算出部５１では、例えば、接触状態及び接触安定状態であると判定されたときの増幅器出力に対応付けられたＡ／Ｄ変換時刻情報に基づき、接触状態及び接触安定状態であると判定されている間の増幅器出力を特定し、これらに基づき、皮膚導電率を演算する。
【００４９】
脈拍情報算出部５２は、データ蓄積部７に蓄積されているデータのうち、脈波信号取得部２１のＡ／Ｄ変換器３３から出力された複数時刻におけるデータおよびＡ／Ｄ変換時刻情報を取り出し、脈拍数などを算出し、出力部９を介して外部に出力する。脈拍情報算出部５２では、例えば、接触状態及び接触安定状態であると判定されたときの増幅器出力に対応付けられたＡ／Ｄ変換時刻情報に基づき、接触状態及び接触安定状態であると判定されている間のＡ／Ｄ変換器３３から出力される脈波信号を特定し、これらに基づき脈拍数等を演算する。
【００５０】
心電情報算出部５３は、データ蓄積部７に蓄積されているデータのうち、心電信号取得部２４に含まれるＡ／Ｄ変換器４２から出力された複数時刻におけるデータ及びＡ／Ｄ変換時刻情報を取り出し、心拍数などを算出し、出力部９を介して外部に出力する。心電情報算出部５３では、例えば、接触状態及び接触安定状態であると判定されたときの増幅器出力に対応付けられたＡ／Ｄ変換時刻情報に基づき、接触状態及び接触安定状態であると判定されている間のＡ／Ｄ変換器４２から出力される心電信号を特定し、これらに基づき心電信号を演算する。
制御部６は、第一実施形態における制御部６と同様に、信号切替部３に対して切替信号を出力すると共に、データ蓄積部７に切替時刻情報を出力する。また、制御部６は、電流ドライバ３１を駆動制御するための駆動信号を出力する。また、制御部６は、Ａ／Ｄ変換器５、Ａ／Ｄ変換器３３、Ａ／Ｄ変換器４２のそれぞれに対してＡ／Ｄ変換の実行を指示するタイミング信号を出力すると共に、タイミング信号を出力した時刻を表す各Ａ／Ｄ変換器５、３３、４２に対応したＡ／Ｄ変換時刻情報をデータ蓄積部７に出力する。
【００５１】
また、制御部６は、接触状態推定部８により、非接触状態であると推定された場合には、脈波信号取得部２１、心電信号取得部２４、生体情報出力部２６は動作させず、接触状態にある、または接触安定状態であると推定された場合にのみ動作させる。これにより、非接触状態または接触不安定状態にある場合の誤計測を防ぐとともに消費電力を小さくすることができる。例えば、接触状態推定部８で、非接触状態であること、また、接触不安定状態にあること、を検出した場合には、接触状態推定部８から脈波信号取得部２１、心電信号取得部２４、生体情報出力部２６に対して停止信号を出力し、これら脈波信号取得部２１、心電信号取得部２４、生体情報出力部２６は、制御部６から停止信号が入力されたときには、動作を停止するようにすればよい。また、これら各部は動作を停止するのではなく、各種信号の取得頻度を低減するようにしてもよい。
また、非接触状態であること、また接触不安定状態にあることが検出されたときには、生体情報出力部２６では、皮膚導電率、脈拍情報、心拍情報等と共に、接触状態推定部の推定結果も出力するようにしてもよい。
【００５２】
自律神経状態推定部５４は、皮膚導電率算出部５１、脈拍情報算出部５２、心電情報算出部５３の少なくとも一つからの出力を用いて自律神経状態を推定し、出力部９を介して外部に出力する。自律神経状態は、皮膚導電率の変動や脈拍数、心拍数の変動と相関があることが知られており、例えば、交感神経優位状態になると、皮膚導電率の変動が大きくなり、脈拍数、心拍数の変動が小さくなる。一方、副交感神経優位状態になると、皮膚導電率の変動が小さくなり、脈拍数、心拍数の変動が大きくなる。自律神経状態推定部５４は、皮膚導電率算出部５１、脈拍情報算出部５２、心電情報算出部５３のうちの少なくとも一つから、皮膚導電率、脈拍情報、心拍情報のうちの少なくとも一つを取得し、自律神経状態を推定する。皮膚導電率の変動は、皮膚導電率算出部５１から出力された例えば複数の検出時刻における値のうち連続する二つの値の差分を用いてもよいし、皮膚導電率の交流成分の振幅の大きさを用いてもよく、その方法については限られない。
【００５３】
また、脈拍情報、心拍情報の変動は、例えば、脈拍情報算出部５２、心電情報算出部５３から出力された複数の検出時刻における脈拍数、心拍数の値を用いて、一般的に用いられているストレス指標ＬＦ／ＨＦ（ＬＦ：血圧変動であるメイヤー波に対応する低周波成分、ＨＦ：呼吸変動に対応する高周波変動成分（ＨＦ成分）と血圧変動であるメイヤー波）等の指標から求めればよく、その方法については限られない。
また、生体情報出力部２６は、接触状態推定部８による接触状態推定の推定結果により、接触状態または接触安定と推定されたときの皮膚導電率または脈拍情報のみを用いて自律神経状態を推定することにより、非接触状態または接触不安定時の値を用いることによる誤計測を防ぐことができる。
【００５４】
なお、第三実施形態では、第二実施形態における接触状態推定装置を生体信号測定装置に適用した場合について説明したが、第一実施形態における接触状態推定装置を適用することも可能である。
また、第三実施形態では、自律神経状態推定部５４を備えているが、必ずしも自律神経状態推定部５４を備えていなくともよい。同様に、皮膚導電率算出部５１、脈拍情報算出部５２、及び心電情報算出部５３を必ずしも全て備えていなくともよい。
また、第三実施形態では、皮膚導電率や脈拍情報、心拍情報、自律神経状態、接触状態の推定結果等を出力部９を介して外部に出力する場合について説明したがこれに限るものではない。出力部９として表示機能を有する出力部を用いること、或いは、出力部９の出力をもとに表示を行う表示部を生体信号測定装置２０にさらに設けること等により、皮膚導電率や脈拍情報、心拍情報、自律神経状態、接触状態の推定結果等の情報を外部に出力せずに、生体信号測定装置２０内において、接触状態の推定結果等の各種情報を表示するようにしてもよい。さらに、接触状態の推定結果等の各種情報を生体信号測定装置２０内において表示すると共に、外部に出力するようにしてもよい。
【００５５】
〈第四実施形態〉
次に、本発明の第四実施形態を説明する。
第四実施形態は、本発明の第三実施形態に係る生体信号測定装置２０の具体例である。図１６の外観図に示すように、生体信号測定装置２０は腕装着用バンド６１に搭載され、腕装着用バンド６１の内側には、発光素子２２及び受光素子２３が発光面及び受光面が露出するようにして設けられ、さらに、発光素子２２及び受光素子２３の両側に電極１０ａと電極１０ｂとが設けられている。そして、腕装着用バンド６１を、発光素子２２、受光素子２３等が人体側となるように腕に巻き付け、固定具６２で腕装着用バンド６１の長さを調整することにより、発光素子２２、受光素子２３、電極１０ａ、１０ｂが人体の皮膚に接した状態で腕装着用バンド６１が、腕に装着されるようになっている。
この構成により、人体に、生体信号測定装置２０が接触した状態、または安定して接触した状態である場合の、皮膚導電率、脈拍情報、心拍情報、自律神経状態等の生体情報を測定したり、測定された生体情報が取得された際の接触安定性などの情報を出力したりすることができる。
【００５６】
〈第五実施形態〉
次に、本発明の第五実施形態を説明する。
第五実施形態は、第二実施形態から第四実施形態における接触状態推定装置１において、接触状態の推定方法が異なること以外は同様である。
第五実施形態における接触状態推定装置１の接触状態推定部８では、デジタル信号に変換された増幅器出力を入力する。そして、図１７に示すように、例えば、非接触状態にあると判断されている状態（ステップＳ１）から、第一の接触状態推定を行う（ステップＳ２）。第一の接触状態推定は、閾値θ１と増幅器出力のＡ／Ｄ変換値とを比較する処理である。増幅器出力のＡ／Ｄ変換値が閾値θ１よりも小さいときには非接触状態であると判定してステップＳ１に戻り、例えば判定結果を出力する等の処理を行う。増幅器出力のＡ／Ｄ変換値が閾値θ１以上であるときには接触状態であると判断してステップＳ３に移行し、判定結果を出力する等の処理を行ったのちステップＳ４に移行して接触安定性推定を行う。接触安定性推定では例えば第三実施形態と同様の手順で安定性判断を行い、判断結果を出力する等の処理を行った後、ステップＳ５に移行し、第二の接触状態推定を行う。
【００５７】
第二の接触状態推定は、閾値θ２と増幅器出力のＡ／Ｄ変換値とを比較する処理である。増幅器出力のＡ／Ｄ変換値が閾値θ２よりも小さいときには非接触状態であると判定してステップＳ１に移行し、例えば判定結果を出力する等の処理を行う。増幅器出力のＡ／Ｄ変換値が閾値θ２以上であるときには接触状態であると判断してステップＳ３に移行する。閾値θ２は、第一の接触状態推定における閾値θ１と同一値であってもよく、θ２＞θ１を満足する値であってもよい。θ２＞θ１を満足するように閾値θ１、θ２を設定することによって、接触状態と判定されている状態から非接触状態と判定される状態に遷移しにくくすることができる。逆にθ２＜θ１を満足するように閾値θ１、θ２を設定することによって、非接触状態と判定されている状態から接触状態と判定される状態に遷移しにくくすることができる。
【００５８】
なお、接触状態推定部８における接触状態の推定方法として、図１８に示す手順で推定するようにしてもよい。
すなわち、接触状態にある状態（ステップＳ１１）から、ステップＳ１２に移行し、ステップＳ１２からステップＳ１４のループ処理を予め設定した回数ｉだけ繰り返し行う。
すなわち、まず第一の接触状態推定を行い、推定結果Ａを所定の記憶領域に格納する（ステップＳ１３）。第一の接触状態推定は、図１７のステップＳ２の処理と同様に行う。
【００５９】
次いでステップＳ１４に移行し、ステップＳ１３での第一の接触状態推定による推定結果と、一周期前の時点におけるステップＳ１３での第一の接触状態推定による推定結果とが同一であるかを判断する。そして、同一である場合にはステップＳ１５からステップＳ１３に戻り、ループの繰り返し回数を更新しループを繰り返す。一方、ステップＳ１４の判断で、推定結果が同一でない場合には、ステップＳ１２に戻り、ループの繰り返し回数をリセットしステップＳ１２からステップＳ１５のループを再度やり直す。
そして、ステップＳ１２からステップＳ１５のループを連続してｉ回繰り返したとき、つまり、ステップＳ１３での推定結果が連続してｉ回同一結果であるとき、ステップＳ１６に移行し、推定結果が非接触状態である場合には非接触状態であると判断してステップＳ１１に移行し、例えば判断結果を出力する等の処理を行う。一方、推定結果が接触状態である場合には接触状態であると判断してステップＳ１７に移行し、例えば判断結果を出力する等の処理を行った後、接触安定性推定を行う（ステップＳ１８）。接触安定性推定は図１７のステップＳ４の処理と同様に行う。
【００６０】
次いで、ステップＳ１９に移行し、ステップＳ１９からステップＳ２２のループ処理を予め設定した回数ｊだけ繰り返し行う。
すなわち、まず、第二の接触状態推定を行い、推定結果Ｂを所定の記憶領域に格納する（ステップＳ２０）。第二の接触状態推定は、図１７のステップＳ５の処理と同様に行う。
次いでステップＳ２１に移行し、ステップＳ２０での第二の接触状態推定による推定結果と、一周期前の時点におけるステップＳ２０での第二の接触状態推定による推定結果とが同一であるかを判断する。そして、同一である場合にはステップＳ２２からステップＳ１９に戻り、ループの繰り返し回数を更新しループを繰り返す。一方ステップＳ２１の判断で、推定結果が同一でない場合には、ステップＳ１９に戻り、ループの繰り返し回数をリセットした後、ステップＳ１９からステップＳ２２のループを再度やり直す。
【００６１】
そして、ステップＳ１９からステップＳ２２のループを連続してｊ回繰り返したとき、つまり、ステップＳ２１での推定結果が連続してｊ回同一結果であるとき、ステップＳ２３に移行し、推定結果が非接触状態である場合には、非接触状態であると判断してステップＳ１１に移行する。一方、推定結果が接触状態である場合には接触状態であると判断し、ステップＳ１７に移行して判断結果を出力する等の処理を行った後、ステップＳ１８に移行する。
【００６２】
このように、第一の接触状態推定及び第二の接触状態推定を繰り返し行い、所定回数連続して同一結果が得られたときに、得られた推定結果を、電極１０ａ、１０ｂの接触状況を表す判断結果として採用することによって、推定精度を向上させることができる。また、第一の接触状態推定及び第二の接触状態推定の繰り返し回数ｉ、ｊは同一値であってもよくまた、異なる値であってもよい。例えば第一の接触状態推定回数ｉに比較して第二の接触状態推定回数ｊを大きな値とすることによって、接触状態と判断されている状態から非接触状態と判断されている状態へ遷移しにくくすることができる。逆に、第一の接触状態推定回数ｉを第二の接触状態推定回数ｊよりも大きな値とすることによって、非接触状態と判断されている状態から接触状態と判断されている状態へ遷移しにくくすることができる。
また、第一の接触状態推定及び第二の接触状態推定を行う頻度をそれぞれｆ１（回／秒）、ｆ２（回／秒）とすると、ｆ１及びｆ２は同一値であってもよく、異なる値であってもよい。例えば、ｆ１＜ｆ２を満足するように頻度を設定することによって、接触状態と判断される状態から非接触状態と判断される状態への遷移を速くすることができる。
【００６３】
〈第六実施形態〉
次に、本発明の第六実施形態を説明する。
図１９は、第六実施形態に係る生体信号測定装置２０の一例を示すブロック図である。
第六実施形態に係る生体信号測定装置２０は、接触状態推定装置１とプロセッサユニット等の演算処理装置（ＣＰＵ）７１と、通信モジュール７２と、生体センサ７３と、を備える。
第六実施形態における接触状態推定装置１は接触状態を推定し、接触状態推定装置１の接触状態推定部８では接触状態推定の推定結果を演算処理装置７１に出力する。
また、生体センサ７３は生体信号を取得し、演算処理装置７１へ出力する。生体センサ７３は、例えば、図１５中の発光素子２２及び受光素子２３と、電流ドライバ３１、増幅器３２及びＡ／Ｄ変換器３３を備える脈波センサ等を含む。生体センサ７３は、脈波センサの他、心電センサ等その他の生体センサでもよく、一又は複数の生体センサを含んでいてもよい。
【００６４】
演算処理装置７１は、生体センサ７３からの入力信号を通信モジュール７２へ出力し、通信モジュール７２は入力されたデータを所定の通信プロトコルに加工して出力する。この通信モジュール７２から出力されるデータを別途解析装置等により解析することによって、生体情報を推定することができる。
また、演算処理装置７１は、接触状態推定装置１で判定した接触状態推定の推定結果をもとに生体センサ７３、通信モジュール７２に対して、スリープまたは復帰の命令を送る。
【００６５】
図２０は、演算処理装置７１の処理手順の一例を示すフローチャートである。
図２０に示すように、演算処理装置７１は、接触状態推定装置１からその推定結果を逐次入力し、非接触状態にある状態（ステップＳ３１）が一定時間経過した場合には、接触状態推定装置１のみを作動させ、通信モジュール７２、生体センサ７３はスリープ状態に切り替える（ステップＳ３２）。非接触状態にある状態が一定時間経過していない場合には、通信モジュール７２及び生体センサ７３をスリープ状態に切り替えず作動状態のままとする。
【００６６】
そして、第一の接触状態推定を行い（ステップＳ３３）、第一の接触状態推定で非接触状態であると判定される場合にはステップＳ３１に戻り、第一の接触状態推定で接触状態であると判断される場合には接触状態に切り替わったと判断して（ステップＳ３４）ステップＳ３５に移行し、スリープ状態となっている通信モジュール７２及び生体センサ７３を作動状態に切り替える。ステップＳ３３で行われる第一の接触状態推定は、図１７のステップＳ２の処理で行われる第一の接触状態推定と同様に行われる。
続いて、演算処理装置７１は接触安定性推定を行う(ステップＳ３６)。この接触安定性推定は、図１７のステップＳ４の処理で実行される接触安定性推定と同様に行われる。接触安定性推定の推定結果は、例えば、生体センサ７３からのデータと共に、外部に出力される。
【００６７】
次いで、ステップＳ３７に移行し、第二の接触状態推定を行う。この第二の接触状態推定は図１７のステップＳ５の処理で実行される第二の接触状態推定を同様に行われる。そして、第二の接触状態推定の結果、接触状態であると判断されるときにはステップＳ３４に戻り、非接触状態であると判断されるときにはステップＳ３１に戻る。
このように、第一の接触状態推定により非接触状態に切り替わったと判断されるときには、生体センサ７３、通信モジュール７２等はスリープ状態に切り替えるため、その分消費電力を低減することができる。また、第一の接触状態推定では、接触状態推定装置１で、ある程度の期間における複数の接触状態推定の推定結果を用いて、非接触状態に切り替わったか否かを判断しているため、一時的に非接触状態又は接触状態に切り替わった場合に非接触状態又は接触状態に切り替わったと誤判断することを回避し、スリープ状態と復帰とを頻繁に繰り返すことを回避することができる。
【００６８】
また、接触安定性推定を行い接触安定性を推定することによって、接触安定性の情報から生体センサ７３の出力信号の信頼性を推定することができる。
なお、上記第六実施形態に係る生体信号測定装置において、図２１に示すように、さらに加速度センサ７４を設けてもよい。
加速度センサ７４は、生体信号測定装置２０の加速度を検出し、検出した加速度を加速度信号として演算処理装置７１に出力する。演算処理装置７１は、加速度センサ７４から入力された加速度信号に応じて接触状態推定装置１の測定頻度を切り替える。
【００６９】
図２２は、演算処理装置７１の処理手順の一例を示すフローチャートである。
図２２に示すように、演算処理装置７１は、接触状態推定装置１からその推定結果を逐次入力し、非接触状態にある状態（ステップＳ４１）が一定時間経過した場合には、通信モジュール７２、生体センサ７３、さらに、接触状態推定装置１、加速度センサ７４および、演算処理装置７１等における加速度センサ７４からのイベント信号の検知機能以外を動作停止状態または測定頻度低下状態に切り替える（ステップＳ４２）。
【００７０】
次いで、ステップＳ４３に移行し、加速度センサ７４の加速度信号が予め設定した閾値よりも低いときには、ステップＳ４２に戻り、加速度検出信号が閾値以上であるときにはステップＳ４４に移行し、接触状態推定装置１のみを復帰させる。続いて、接触状態推定装置１の推定結果に基づき図２０のステップＳ３３の処理と同様に第一の接触状態推定を行い（ステップＳ４５）、第一の接触状態推定の結果、接触状態推定装置１が非接触状態であると判断されるときにはステップＳ４１に戻る。一方、第一の接触状態推定の結果、接触状態推定装置１が接触状態であると判断されるときにはステップＳ４６に移行し、接触状態と判断しステップＳ４７に移行して、生体センサ７３、通信モジュール等、スリープ状態にある各部を復帰させ、続いて図２０のステップＳ３６の処理と同様に接触安定性推定を行う（ステップＳ４８）。そして、図２０のステップＳ３７の処理と同様に第二の接触状態推定を行い（ステップＳ４９）、第二の接触状態推定での推定の結果、接触状態にあると判断されたときにはステップＳ４６に戻り、非接触状態にあると判断されたときにはステップＳ４１に戻り、再度加速度センサ７４および加速度センサ７４からのイベント信号の検知機能以外を動作停止状態または測定頻度低下状態とする。
【００７１】
加速度センサ７４で検出される加速度の大きさは、例えば、直交するｘ軸、ｙ軸、ｚ軸の三軸方向の検出信号の二乗和でもよいし、各軸の大きさの絶対値の和などでもよく、また加速度の変動の大きさでもよく、算出方法については限られない。
このように、加速度センサ７４の加速度信号が閾値以上であるか否かを判断し、閾値以上である場合には、生体信号測定装置２０が人体に装着されていると判断し、逆に加速度信号が閾値よりも小さいときには、生体信号測定装置２０が人体に装着されていない可能性があると判断し、生体信号測定装置２０が人体に装着されていると判断されるときにのみ、接触状態推定装置１を動作させるようにしている。つまり、まず、加速度センサ７４により生体信号測定装置２０の装着状況を大まかに判断し、次に接触状態推定装置１によって、生体信号測定装置２０が人体の皮膚に接触しているかどうかを判断するようにしているため、生体信号測定装置２０の各部を作動させるか否かをよりきめ細かく判断し、作動及びスリープ状態に切り替えることができ、結果的に消費電力を削減することができる。
【００７２】
〈第七実施形態〉
次に、本発明の第七実施形態を説明する。
第七実施形態は、本発明の第一及び第二実施形態に係る接触状態推定装置１を心電計に適用したものである。
図２３において、８１は、胸部等生体に取り付けるためのベルト部、８１ａ、８１ｂは心電測定用電極であり、心電測定用電極８１ａ、８１ｂは、ベルト部８１の長手方向に間隔を空けて配置され、心電測定用電極８１ａ、８１ｂの長手方向両側に、接触状態検出用の電極１０ａ、１０ｂが設けられている。
【００７３】
このように接触状態推定装置１を心電計に適用することによって、心電計の人体への接触状態を的確に推定することができる。なお、心電測定用電極８１ａと接触状態検出用電極１０ａとを共通の電極とし、同様に、心電測定用電極８１ｂと接触状態検出用電極１０ａとを共通の電極とし、時間的にスイッチで機能を切り替えながら測定するように構成してもよい。
また、測定部位は、胸部、頭部、腹部、脚部、椀部、頸部など、人体の任意の部位に適用することができ、これら部位において同様の効果を得ることができる。
【００７４】
また、接触状態検出用の電極１０ａ、１０は、接触状態検出のための専用電極であってもよいし、さらに、皮膚導電率計測や心電図計測など、生体信号検出目的の電極と兼用することで、皮膚導電率や心電図計測等の種々の生体信号も検出できるように構成してもよい。
また、接触状態検出用電極の電極形状は任意に設定することができ、また二つの接触状態検出用電極が略同等の大きさであることが好ましいが、必ずしもそれに限定しなくともよい。
【００７５】
なお、上記各実施形態において、接触状態推定装置１の測定対象は、生体以外の誘電体に適用することも可能であり、例えば野菜の水分量計等が、野菜に接触されているかどうかを推定することも可能である。
このように、本発明の一実施形態によれば、皮膚の乾燥状態や電極の大きさなどの接触環境によらず、電極と生体が接触状態であるか、非接触状態であるかを精度よく判別することができる。
また、上述のようにパルス性ノイズ情報をもとに接触状態を推定しているため、単純な電圧値の大きさによる接触状態推定方法と比較して、装置のＤＣオフセットのばらつき、被験者の皮膚導電率の個人差などによらずに精度良く推定することができる。
【００７６】
また、少ないデータ数で短時間の間に電極と生体とが接触状態にあるか非接触状態にあるかを精度良く推定することができ、小さい消費電流で、かつ比較的容量の小さいデータ蓄積部を用いて実現することができる。
また、電極と生体とが接触しているとき、または接触安定状態にある際にのみ生体情報を測定することにより、非接触状態にある期間の無効なデータを排除することができ、また演算時間の削減および、消費電流の削減をすることができる。
また、接触安定性を精度良く推定することができ、データ分析時に接触不安定時のデータを排除することができ、生体情報を用いた解析の精度向上を図ることができる。
【００７７】
また、例えば、特許文献３に開示されているような、二つの電極に電圧を印加する経路を切り替えるようにした従来の測定装置において、特別な機構を追加することなく、得られる信号の処理方法を変えることで、電極と生体とが接触状態にあるか非接触状態にあるかをより精度良く推定し、接触安定性を精度良く推定することができる。
なお、上記実施形態では、接触状態推定部８では、測定された増幅器出力をもとに逐次、接触状態を判断するようにしているが、例えば、所定時間分の増幅器出力をデータ蓄積部７に蓄積し、測定終了後、データ蓄積部７のデータをもとに解析を行うようにしてもよい。
【００７８】
また、上記実施形態では、増幅器出力とＡ／Ｄ変換時刻情報とを対応付け、Ａ／Ｄ変換時刻情報に基づき測定フェーズの切替に伴い生じるパルス性ノイズに相当する増幅器出力を取得する場合について説明したが、これに限るものではない。例えば、増幅器出力の微分値から、パルス性ノイズが発生したタイミングを検出し、この検出したタイミングを測定フェーズの切替タイミングとみなして接触状態或いは接触安定性を推定するようにしてもよく、測定フェーズの切替に伴い生じるパルス性ノイズの発生タイミングを検出することができれば、他の方法を用いて検出してもよい。
【００７９】
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【００８０】
１  接触状態推定装置
２  直流電圧供給部
３  信号切替部
４  増幅器
５  Ａ／Ｄ変換器
６  制御部
７  データ蓄積部
８  接触状態推定部
９  出力部
１０ａ、１０ｂ  電極
２０  生体信号測定装置
２１  脈波信号取得部
２２  発光素子
２３  受光素子
２４  心電信号取得部
２５ａ、２５ｂ  電極
２６  生体情報出力部
５１  皮膚導電率算出部
５２  脈拍情報算出部
５３  心電情報算出部
５４  自律神経状態推定部
７１  演算処理装置（ＣＰＵ）
７２  通信モジュール
７３  生体センサ
７４  加速度センサ
【図１】
0006767503.tif 000002
【図２】
0006767503.tif 000003
【図３】
0006767503.tif 000004
【図４】
0006767503.tif 000005
【図５】
0006767503.tif 000006
【図６】
0006767503.tif 000007
【図７】
0006767503.tif 000008
【図８】
0006767503.tif 000009
【図９】
0006767503.tif 000010
【図１０】
0006767503.tif 000011
【図１１】
0006767503.tif 000012
【図１２】
0006767503.tif 000013
【図１３】
0006767503.tif 000014
【図１４】
0006767503.tif 000015
【図１５】
0006767503.tif 000016
【図１６】
0006767503.tif 000017
【図１７】
0006767503.tif 000018
【図１８】
0006767503.tif 000019
【図１９】
0006767503.tif 000020
【図２０】
0006767503.tif 000021
【図２１】
0006767503.tif 000022
【図２２】
0006767503.tif 000023
【図２３】
0006767503.tif 000024